(57)【要約】外側管球容器にクリアランスをもって包囲された放電容器であって、キセノン（Ｘｅ）とイオン化可能な充填物とを含む放電空間を封入するセラミック壁を有する放電容器と、放電容器内に入り込み、それぞれ放電容器内において電極を支持する第１および第２の電流伝導体とを備え、それら第１および第２の電流伝導体の各々が、それら電流伝導体の周囲において放電容器を気密状態に封止しているセラミック製のシール材から、放電容器の外部へと延設されており、放電容器が、延設された端部を有しており、それら端部の各々の中に、各々の電流伝導体が包まれており、それら端部が、それぞれ自由端を有しており、それら自由端において、放電容器がセラミック製のシール材によって封止されている、メタルハライドランプを有する乗物用ヘッドランプであって、特に、それら端部の少なくとも１つの少なくとも一部を取り囲む、光反射性コーティングを有していることを特徴とする乗物用ヘッドランプ。
2006508512.tif 000002
【特許請求の範囲】
【請求項１】
外側管球容器にクリアランスをもって包囲された放電容器であって、キセノン（Ｘｅ）とイオン化可能な充填物とを含む放電空間を封入するセラミック壁を有する放電容器と、
前記放電容器内に入り込み、それぞれ該放電容器内において電極を支持する第１および第２の電流伝導体とを備え、
前記第１および第２の電流伝導体の各々が、該電流伝導体の周囲において前記放電容器を気密状態に封止しているセラミック製のシール材から、該放電容器の外部へと延設されており、
前記放電容器が、延設された端部を有しており、該端部の各々の中に、各々の電流伝導体が包まれており、該端部が、それぞれ自由端を有しており、該自由端において、前記放電容器が前記セラミック製のシール材によって封止されている、
メタルハライドランプを有する乗物用ヘッドランプであって、
前記端部の少なくとも１つの少なくとも一部を取り囲む、光反射性コーティングを有していることを特徴とする乗物用ヘッドランプ。
【請求項２】
前記光反射性コーティングが、前記端部の少なくとも一部の前記セラミック壁の外面上に付与されていることを特徴とする請求項１記載の乗物用ヘッドランプ。
【請求項３】
前記光反射性コーティングが、帯状のコーティングであり、両方の前記端部の、前記放電容器の中央部分に隣接した部分と、該中央部分の両端とを取り囲むものであることを特徴とする請求項２記載の乗物用ヘッドランプ。
【請求項４】
前記光反射性コーティングが、前記外側管球容器の内面上に付与されていることを特徴とする請求項１記載の乗物用ヘッドランプ。
【請求項５】
電極の先端と、前記光反射性コーティングの前記放電容器の側の端縁とを通る線が、該電極に垂直な平面と、５°と３０°との間で変動する角度をなしていることを特徴とする請求項３または４記載の乗物用ヘッドランプ。
【請求項６】
前記光反射性コーティングが、前記外側管球容器の外面上に付与されていることを特徴とする請求項１記載の乗物用ヘッドランプ。
【請求項７】
前記放電容器が、前記外側管球容器内に最大５ｍｍの周囲クリアランスを有することを特徴とする請求項１から６いずれか１項記載の乗物用ヘッドランプ。
【請求項８】
前記電極の先端が、該電極同士の間の放電経路を規定するように相互間隔ＥＡを有しており、前記放電容器が、少なくとも前記距離ＥＡに亘って内径Ｄｉを有しており、該Ｄｉが２．０ｍｍ以下であり、好ましくは１．５ｍｍ以下であり、さらに好ましくは１．０ｍｍ以下であることを特徴とする請求項１から７いずれか１項記載の乗物用ヘッドランプ。
【請求項９】
前記端部が、０．６ｍｍ以下の平均内径を有していることを特徴とする請求項１から８いずれか１項記載の乗物用ヘッドランプ。
【請求項１０】
前記光反射性コーティングが、Ｃｕ、Ａｇ、Ｒｈ、Ａｕ、Ｗ、Ｍｏ、Ｐｔ、Ｎｂ、Ｔａ、Ｎｉ、Ｒｅ、Ｃｒ、Ｆｅ、Ｔｉ、Ｕ、Ａｌ、およびＩｒからなる群より選択された材料を含んでいることを特徴とする請求項１から９いずれか１項記載の乗物用ヘッドランプ。
【発明の詳細な説明】
【技術分野】
【０００１】
本発明は、
外側管球容器にクリアランス（隙間）をもって包囲された放電容器であって、キセノン（Ｘｅ）とイオン化可能な充填物とを含む放電空間を封入するセラミック壁を有する放電容器と、
放電容器内に入り込み、それぞれ放電容器内において電極を支持する第１および第２の電流伝導体とを備え、
上記の第１および第２の電流伝導体の各々が、それら電流伝導体の周囲において放電容器を気密状態に封止しているセラミック製のシール材から、放電容器の外部へと延設されており、
上記の放電容器が、延設された端部を有しており、それら端部の各々の中に、各々の電流伝導体が包まれており、それら端部が、それぞれ自由端を有しており、その自由端において、放電容器がセラミック製のシール材によって封止されている、
メタルハライドランプを有する乗物用ヘッドランプに関するものである。
【０００２】
本発明はまた、本発明のヘッドランプにおいて使用されるメタルハライドランプにも関するものである。
【背景技術】
【０００３】
上記のようなランプは、本願と出願人を同じくする、国際公開公報ＷＯ００／６７２９４号より知られている。この既知の電気放電ランプは、管状かつ光透過性のセラミック製ランプ容器（たとえば多結晶酸化アルミニウム）と、互いに反対側の位置においてランプ容器内に入り込み、それぞれランプ容器内において電極（たとえば、それぞれの電流伝導体に溶着されたタングステン電極）を支持する第１および第２の電流伝導体とを有している。第２の電流伝導体は、石英により作られた外側管球容器の外面に沿って延設された、返し部分を有している。溶融処理で付与されたセラミック製のシール材が、電流伝導体の周囲において、ランプを気密状態に封止している。ランプ容器は、希ガスとしてのキセノンと、時として水銀と、メタルハライド（ハロゲン化金属）とを含む、イオン化可能な充填物を有している。この既知のランプの放電容器の、上記に述べた特定の寸法は、極めてコンパクトかつ軽量なランプを保証する。
【発明の開示】
【発明が解決しようとする課題】
【０００４】
上記に引用した国際公開公報に記載されている乗物用ランプの１つの欠点は、以下のとおりである。シール材は、乗物用ランプの高い温度（動作温度）に弱いので、このシール材は、放電容器の中央部分から可能な限り離れた位置に施される。しかしながら、長く延設された端部すなわち延設されたプラグは、放電容器の動作温度に悪影響を与える冷却フィンとして作用する。その結果、イオン化可能な充填物の一部が、端部の位置に凝結するかもしれず、そのことはあらゆる悪影響を含む。
【０００５】
本発明の１つの目的は、本明細書の冒頭で述べたタイプの乗物用ヘッドランプであって、上記の欠点が除去された乗物用ヘッドランプを提供することである。
【課題を解決するための手段】
【０００６】
上記の目的を達成するため、本発明の乗物用ヘッドランプは、上記の端部の少なくとも１つの少なくとも一部、好ましくは両方の端部の放電容器の中央部分に隣接した部分を取り囲む、光反射性コーティングを有していることを特徴とする。乗物用ヘッドランプ内の高い温度（動作温度）に耐性を有するこの光反射性コーティングは、出射された光（放射）を反射して放電容器内に戻し、放電容器内の温度を上昇させるので、液体塩の温度が上昇し、したがってメタルハライドの分圧が増加する。したがって、本発明の乗物用ヘッドランプは、よりよい性能を有する。この反射性コーティングは、電極の先端より後方の領域から来る妨害光に対して、ヘッドランプの反射器を保護する役割も果たす。とりわけ、光反射性コーティングは、上記の端部の少なくとも一部のセラミック壁の外面上に付与され、１つの好ましい実施形態では、光反射性コーティングは帯状とされる。ここで、本明細書および特許請求の範囲で使用する「光反射性」との語は、可視光の反射のみならず、全スペクトル内に含まれる任意の光の反射を指す語である点に留意されたい。
【０００７】
本発明は、好ましくは（ｉ）両方の端部の放電容器の中央部分に隣接した部分と、（ｉｉ）その中央部分の両端との全周を取り囲む帯状の形態を有する、反射性コーティングは、放電容器内の動作温度に影響を及ぼすことができ、したがってイオン化可能な充填物を気相に維持する（増加させる、あるいは一般的には「制御する」）ことができるという認識に基づいている。反射性コーティングの光放射係数は、放電容器の端部の温度（ｅｎｄ  ｔｅｍｐｅｒａｔｕｒｅ）を増大させるために、好ましくは、放電容器のセラミック壁の光放射係数よりも低くされるべきである。
【０００８】
本発明に係る乗物用ヘッドランプの１つの好ましい実施形態では、光反射性コーティングは、外側管球容器の内面上に付与される。別の実施形態では、光反射性コーティングは、外側管球容器の外面上に付与される。
【０００９】
本発明に係る乗物用ヘッドランプの別の１つの好ましい実施形態では、電極の先端と、光反射性コーティングの放電容器の側の端縁とを通る線が、その電極に垂直な平面と、５°と３０°との間で変動する角度をなす。
【００１０】
本発明に係る乗物用ヘッドランプの別の１つの好ましい実施形態では、放電容器は、外側管球容器内に最大５ｍｍの周囲クリアランスを有する。
【００１１】
ここで、本発明は、メタルハライドランプのイオン化可能な充填物の一部として水銀（Ｈｇ）を使用したものに限られるものではなく、ランプ内において水銀を含まない充填物が用いられてもよい点に留意されたい。
【発明を実施するための最良の形態】
【００１２】
本発明に係るヘッドランプの上記およびその他の特徴を、以下、図面（実際の縮尺で描かれてはいない）を参照して説明する。
【００１３】
図１において、電気放電ランプは、管状かつ光透過性のセラミック製放電容器（図示の例では、多結晶酸化アルミニウム製）と、互いに反対側の位置において放電容器１内に入り込み、それぞれ放電容器１内において電極４および５（すなわち、図示の例では、電流伝導体２、３に溶着されたタングステン電極）を支持する、第１の電流伝導体２および第２の電流伝導体３とを有している。溶融処理で付与されたセラミック製のシール材６（図示の例では、３０重量％の酸化アルミニウム、４０重量％の酸化珪素、および３０重量％の酸化ジスプロシウム）が、電流伝導体２および３の周囲において、放電容器１を気密状態に封止している。放電容器は、希ガスとしてのキセノンと、メタルハライドとを含む、イオン化可能な充填物を有している。ナトリウムおよびプラセオジウムのヨウ化物と、ヨウ化ジスプロシウムとの混合物が、メタルハライドとして用いられている。放電容器内のキセノンガス圧は、８バールを超える（室温下において）。
【００１４】
第１の電流伝導体２は、放電容器１の中に配された第１の耐ハライド部分２１と、セラミック製のシール材６から放電容器１の外部へと延設されている、第１の部分２１に溶着された第２の部分２２とを有している。
【００１５】
第１の電流伝導体２の第１の部分２１は、たとえば、珪化タングステン、モリブデンアルミナイド、ホウ化モリブデン、三珪化ペンタモリブデン、およびこれらの材料の少なくとも２つの組合せから選択された材料からなる。あるいは、Ｍｏ−Ａｌ２Ｏ３が使用されてもよい。
【００１６】
図示のランプでは、第２の電流伝導体３は、第１の電流伝導体２に類似の、第１の部分３１および第２の部分３２を有している。２つの電流伝導体２および３のそれぞれの第２の部分２２および３２は、ニオブからなっており、それぞれの第１の部分２１および３１は、珪化タングステン（たとえばＷ５Ｓｉ３）からなっている。
【００１７】
放電容器１は、幅の狭い端部すなわちプラグ１１および１２を有しており、これらの端部すなわちプラグ１１および１２内に、それぞれの電流伝導体２および３が包まれている。端部すなわちプラグ１１および１２は、自由端１１１および１２１を有しており、これらの自由端１１１および１２１において、ランプ容器１がセラミック製のシール材６によって封止されている。放電容器１の中央部分１０は、焼結によって、端部すなわちプラグ１１および１２に結合されている。
【００１８】
各電流伝導体の第２の部分２２および３２は、放電容器１を伴うセラミック製のシール材６と完全に一体化している。
【００１９】
図１では、放電容器１は、外側管球容器７によって包囲されている。この外側管球容器７は、電流伝導体２および３のニオブ製の第２の部分２２および３２を保護するため、気密状態に封止されており、さらに真空引きまたは不活性ガス充填されている。外側管球容器７は、ランプキャップ８を支持している。別の実施形態では、外側管球容器７に、２つのランプキャップ（たとえばＲ７ランプキャップ）が設けられていてもよい。
【００２０】
図２は、端部すなわちプラグ１１および１２の、放電容器１の中央部分１０に隣接した部分の外面上に付与され、さらに放電容器１の中央部分１０の両端に付与された、帯状の光反射性コーティング９を示している。あるいは、光反射性コーティング９’が、外側管球容器７の内面上に存在していてもよい。電極４の先端と、光反射性コーティング９または９’の、放電容器１の側の端縁とを通る線Ｐは、その電極４に垂直な平面と、５°と３０°との間で変動する角度αをなす。この帯状の光反射性コーティング９または９’は、ひだ付形状（すなわち波形形状）といったような、形状作られた形を有していてもよく、また、金またはプラチナ製であってもよい。
【００２１】
電極４と５との先端間の距離ＥＡは５ｍｍ、内径Ｄｉは１．２ｍｍであり、したがってＥＡ／Ｄｉ＝４．１６である。
【図面の簡単な説明】
【００２２】
【図１】本発明の１つの実施形態の側面図
【図２】図１の実施形態の詳細部分の断面図
【図１】
2006508512.tif 000003
【図２】
2006508512.tif 000004
【国際調査報告】
2006508512.tif 000005
2006508512.tif 000006
2006508512.tif 000007